(57)【要約】      （修正有）【課題】組立完成後においても断熱材を取り付け、断熱性の向上を図る事を可能とする。【解決手段】薄板鋼板材の組立式の収納庫の組立後において、屋根、左右側壁、後壁、扉に断熱材と断熱材カバーを取付けることにより、断熱壁タイプの収納庫に変更が容易な断熱材取付構造であり、屋根用断熱材カバーに形成される凹部に断熱材を嵌合または接着した後、フランジ部を屋根下面と左右側壁または後壁及び前上枠との間隙に挿入固定する。その後、後壁、左右側壁、扉において断熱材を各断熱材カバーの空洞部に嵌合または接着したのち、各断熱材カバーを傾斜させた状態で各断熱材カバー上部を各部材の内側上部と屋根用断熱材カバーとの間に生じた間隙または裏面空洞部に差込み、各断熱材カバー下部を各部材の内側に密着させた状態で降下させ、下部に形成される空間および接合部に嵌合または挿入することで該断熱材カバーが固定されるように構成する。【選択図】図１
0003102218.tif 000002
【実用新案登録請求の範囲】
【請求項１】
床板の周縁に左右側壁、後壁を立設し、上面開口部に屋根を設け、前面開口部に開閉扉を設けた薄板鋼板材の組立式の収納庫で、組立完成後においても屋根、左右側壁、後壁、扉とそれぞれに対応した断熱材カバーとで断熱材をはさみ込むことにより、断熱壁タイプの収納庫にすることを特徴とする収納庫の断熱材取付構造。
【請求項２】
屋根用断熱材カバーは、屋根の大きさに対応させ四方の縁部を上方へ折曲して屋根用断熱材を嵌め込むかまたは接着するための凹部を形成し、左右側壁または後壁および左右側壁の前面上部にかけ渡した前上枠の各上端と屋根下面との間隙に挿入するために前後あるいは左右のどちらか一組の互いに対向する縁部を外方へ折曲してフランジ部を形成したことを特徴とする請求項１記載の収納庫の断熱材取付構造。
【請求項３】
前記屋根用断熱材カバーは一組の互いに対向するフランジ部の一方を巾広フランジ部、他方を巾狭フランジ部とし、巾広フランジ部を屋根下面と左右側壁または後壁および左右側壁の前面上部にかけ渡した前上枠の各上端のいずれかとの間隙に挿入することにより、巾狭フランジ部が巾広フランジ部を挿入した間隙と相対する位置の間隙に挿入可能となり、巾狭フランジ部を挿入しても巾広フランジ部が前記間隙から外れないようフランジ巾を形成し、フランジ部が挿入される各上端は水平折曲部の端部に傾斜部を形成したことを特徴とする請求項２記載の収納庫の断熱材取付構造。
【請求項４】
後壁用断熱材カバーは、後壁の大きさに対応させ、後壁用断熱材を嵌め込むあるいは接着するため四方の縁部を同方向に折曲して空洞部を形成し、後壁用断熱材カバー上部を後壁内側上部と屋根用断熱材カバーの間に生じた空間に差し込むため、上縁部を左右縁部、下縁部より巾狭くして、左右縁部の上部寄りを前記上縁部の巾に合わせて徐々に狭くし、後壁用断熱材カバー下部を後壁内側に密着させた後に降下させて、後壁内側下部と床板との間に生じた空間に嵌め込むよう形成したことを特徴とする請求項１ないし請求項３のいずれかに記載の収納庫の断熱材取付構造。
【請求項５】
左右側壁用断熱材カバーは、左右側壁の大きさに対応させ、左右側壁用断熱材を嵌め込むあるいは接着するため四方の縁部を同方向に折曲して空洞部を形成し、左右側壁用断熱材カバー上部を左右側壁内側上部と屋根用断熱材カバーの間に生じた空間に差し込むため、上縁部を左右縁部、下縁部より巾狭くして、左右縁部の上部寄りを前記上縁部の巾に合わせて徐々に狭くし、左右側壁用断熱材カバー下部を左右側壁内側に密着させた後に降下させて、左右側壁と床板の間隙に挿入するために左右側壁用断熱材カバー下縁部に下向き折曲部を形成したことを特徴とする請求項１ないし４のいずれかに記載の収納庫の断熱材取付構造。
【請求項６】
扉用断熱材カバーは扉の大きさに対応させ、扉用断熱材を嵌め込むあるいは接着するため四方の縁部を同方向に折曲して空洞部を形成し、扉裏面に形成された空間に差し込むため上縁部には上向き折曲部を、下縁部には下向き折曲部を形成したことを特徴とする請求項１ないし５のいずれかに記載の収納庫の断熱材取付構造。
【考案の詳細な説明】
【技術分野】
【０００１】
本考案は、組立式の収納庫に係るもので、特に薄板鋼板材の組立式収納庫において組立完成後においても断熱材及び断熱材のカバー材を取付けることにより断熱タイプの収納庫とすることが可能な断熱材取付構造に関する。
【背景技術】
【０００２】
従来から断熱機能を有する物置や収納庫は、内外の鋼板間に発泡体を注入あるいは挟着させた断熱パネルで構成されている。
【０００３】
しかしながら、収納庫の組立後に断熱機能を付加したり、断熱材を取付ける構造や技術は開示されておらず、最初から断熱機能を有する収納庫を目的で購入するのであれば良いが、通常の薄板鋼板材の断熱機能の無い収納庫を購入して使用してみて、そこで初めて断熱機能が必要とわかり断熱タイプに組替えようとすれば、大部分を占める既存のパネルを断熱パネルと交換しなければならない為、収納庫本体を解体する必要があり、作業に手間やコストがかかるとともに既存の壁パネルの処分にも問題が生じる。また、既存のパネルに断熱材を接着あるいは貼付する方法も考えられるが、前記同様に手間とコストがかかる。  
【考案の開示】
【考案が解決しようとする課題】
【０００４】
本考案は、このような問題点を解決しようとするもので、収納庫の屋根下面及び壁面内側に断熱材を介在させてそれぞれに対応した断熱材用カバーを設けることにより、組立完成後に容易に断熱機能を付加することができる収納庫の断熱構造を提供することを目的とする。
【課題を解決するための手段】
【０００５】
上記課題を解決するために請求項１においては、組立完成後においても屋根、左右側壁、後壁、扉とそれぞれに対応した断熱材カバーとで断熱材をはさみ込むことにより、断熱壁タイプの収納庫にすることが容易な構造とした。
【０００６】
請求項２の屋根用断熱材カバーは屋根の大きさに対応させ四方の縁部を上方へ折曲して凹部を形成し、前後あるいは左右のどちらか一組の互いに対向する縁部を外方へ折曲してフランジ部を形成することにより屋根用断熱材を屋根と屋根用断熱材カバーにはさみ込む状態に屋根用断熱材カバーを屋根下面に取付け可能とした。
【０００７】
また請求項３の屋根用断熱材カバーは、一組の互いに対向するフランジ部の一方を巾広フランジ部、他方を巾狭フランジ部とし、巾広フランジ部を挿入した後に巾狭フランジ部を挿入しても巾広フランジ部が屋根下面と上面の間隙から外れないようフランジ巾を形成することにより屋根用断熱材を屋根と屋根用断熱材カバーにはさみ込む状態に屋根用断熱材カバーを屋根下面に取付け可能とした。
【０００８】
請求項４の後壁用断熱材カバーは後壁の大きさに対応させ四方の縁部を同方向に折曲して空洞部を形成し、後壁用断熱材カバー上部を後壁内側上部と屋根用断熱材カバーの間に生じた空間に嵌め込み、後壁用断熱材カバー下部を後壁内側下部と床板との間に生じた空間に嵌め込むよう形成することにより、後壁用断熱材を後壁と後壁用断熱材カバーにはさみ込む状態に後壁用断熱材カバーを後壁内側に取付け可能とした。
【０００９】
請求項５の左右側壁用断熱材カバーは左右側壁の大きさに対応させ四方の縁部を同方向に折曲して空洞部を形成し、左右側壁用断熱材カバー上部を左右側壁内側上部と屋根用断熱材カバー凹部との間に生じた空間に嵌め込み、左右側壁用断熱材カバー下部を左右側壁内側下部と床板との間に生じた空間に嵌め込むために左右側壁断熱材カバー下縁部に下向き折曲部を形成することにより、左右側壁用断熱材を左右側壁と左右側壁用断熱材カバーにはさみ込む状態に左右側壁用断熱材カバーを左右側壁内側に取付け可能とした。
【００１０】
請求項６の扉用断熱材カバーは扉の大きさに対応させ四方の縁部を同方向に折曲して空洞部を形成し、扉裏面の上縁部に上向き折曲部、下縁部に下向き折曲部を形成することにより、扉用断熱材を扉と扉用断熱材カバーにはさみ込む状態に扉用断熱材カバーを扉裏面に取付け可能とした。
【考案の効果】
【００１１】
本考案の収納庫の断熱材取付構造は、組立完成後であっても収納庫の屋根下面及び壁面内側に断熱材を介在させてそれぞれに対応した断熱材カバーを差し込みによって容易に取付けることが可能であり、必要に応じて容易に断熱機能を追加することができる。
【考案を実施するための最良の形態】
【００１２】
以下、考案の実施の形態を図面を参照して説明する。
【実施例１】
【００１３】
図1は本考案の一実施例にかかる収納庫の断熱材取付構造において扉を外した状態の概略の展開斜視図であり、図２〜図５は各断熱材の取付方法を示す断面図であり、図６は組立完成後の斜視図である。断熱材を取り付けていない状態において、収納庫１はそれぞれ薄板鋼板材で形成された屋根２、左右側壁３・３、後壁４・４、扉５、床６、後壁つなぎ７と前上枠８で構成される。
【００１４】
図１で示すように床６に立設した左右側壁３・３と後壁４・４と左右側壁３・３の前側上部にかけ渡した前上枠８で構成する骨組みの上面開口部に屋根２を設けて構成される収納庫において、屋根用断熱材カバー２１の凹部２１３に屋根用断熱材２２を嵌め込みまたは接着した後、一組の互いに対向する縁部に形成された巾広フランジ部２１１と巾狭フランジ部２１２を屋根下面と骨組部材の各上端との間隙に挿入し固定する。次に後壁用断熱材４２を後壁用断熱材カバー４１の空洞部４１４に嵌合または接着した後に後壁３の壁面内側に脱着可能に取付け、さらに左右側壁用断熱材３２を左右側壁用断熱材カバー３１の空洞部３１４に密着または接着した状態で左右側壁３の壁面内側に脱着可能に取付ける。
【００１５】
図２は屋根２への断熱材の取付け状態を示す断面図であり、（ａ）で示すように屋根用断熱材２２を屋根用断熱材カバーの凹部２１３に嵌合または接着し、（ｂ）で示すように屋根用断熱材カバー２１の巾広フランジ部２１１を屋根下面と後壁４の上端に生じた間隙に挿入することにより、巾狭フランジ部が巾広フランジ部を挿入した間隙と相対する位置の間隙に挿入可能となり、（ｃ）で示すように巾狭フランジ部を挿入しても巾広フランジ部が前記間隙から外れないようにフランジ巾を形成する。また、各フランジ部を挿入しやすいように後壁４と前上枠８の上端は水平折曲部４３・８１の端部に傾斜部４３１・８１１を形成している。図２においては後壁４上端に巾広フランジ部２１１、前上枠８の上端に巾狭フランジ部２１２を挿入しているが、それに限定するものではなく、左右側壁のどちらか一方の上端間隙に巾広フランジ部２１１が挿入されれば対向した間隙に巾狭フランジ部が挿入される構造としても良い。
【００１６】
図３は後壁４への断熱材の取付状態を示す断面図であり、（ａ）で示すように後壁用断熱材４２を後壁用断熱材カバー４１の空洞部４１４に嵌合または接着し、（ｂ）で示すように後壁用断熱材カバー４１を傾斜させた状態で後壁用断熱材カバー４１の上縁部４１１を後壁４の内側と屋根用断熱材カバー２１との間に生じた空間に差し込んだ後、後壁用断熱材カバー４１の下縁部４１３を後壁内側に当接するよう垂直状態に保ち、その状態で降下させて後壁内側下部と床板との間に生じた空間に嵌め込むことで、（ｃ）で示すように後壁断熱材カバー４１の下部が固定され後壁用断熱材カバー４１の上部も屋根用断熱材カバー２１に支持固定される。
【００１７】
同様に図４は左右側壁３への断熱材の取付状態を示す断面図であり、（ａ）で示すように左右側壁用断熱材３２を左右側壁用断熱材カバー３１の空洞部３１４に嵌合または接着し、（ｂ）で示すように左右側壁用断熱材カバー３１を傾斜させた状態で左右側壁用断熱材カバー３１の上縁部３１１を左右側壁３の内側と屋根用断熱材カバー２１との間に生じた空間に差込んだ後、左右側壁断熱材カバー３１の下縁部３１３に形成した下向き折曲部３１５を左右側壁３の内側に当接させ垂直に保持した状態で全体を降下させるとともに、（ｃ）で示すように前記下向き折曲部３１５を左右側壁３と床板６の接合部間隙に差し込む。下向き折曲部３１５が挿入され左右側壁用断熱材カバー３１の下部が固定されるとともに左右側壁用断熱材カバー３１の上部も後壁３への取付と同様に屋根用断熱材カバー２１に支持固定される。
【００１８】
図５は扉５への断熱材の取付状態を示す断面図であり、（ａ）で示すように扉用断熱材５２を扉用断熱材カバー５１の空洞部５１４に嵌合または接着し、（ｂ）で示すように扉裏面の空洞部上部に扉用断熱材カバー５１の上向き折曲部５１５を差し込み、扉用断熱材カバー５１の下部を扉裏面に当接させた状態で降下させるとともに、（ｃ）で示すように扉裏面の空洞部下部に扉用断熱材カバー５１の下向き折曲部５１６が挿入されることで扉用断熱材カバー５１全体が固定される。
【産業上の利用可能性】
【００１９】
組立完成後の収納庫に必要に応じて断熱材及び断熱材カバーを容易かつ着脱自在に取り付けることができ、断熱性の向上ととも作業やコストの無駄を省くができる。
【図面の簡単な説明】
【００２０】
【図１】本考案の実施形態において扉を除いた展開斜視図
【図２】屋根部における取付け順序を示した断面図
【図３】後壁部における取付け順序を示した断面図
【図４】左右側壁部における取付け順序を示した断面図
【図５】扉部における取付け順序を示した断面図
【図６】開扉状態の斜視図
【図７】従来の技術を示す断面図
【符号の説明】
【００２１】
１…収納庫
２…屋根
３…左右側壁
４…後壁
５…扉
６…床
７…壁つなぎ
８…前上枠
２１…屋根用断熱材カバー
２２…屋根用断熱材
３１…左右側壁用断熱材カバー
３２…左右側壁用断熱材
４１…後壁用断熱材カバー
４２…後壁用断熱材
４３…後壁上端水平折曲部
５１…扉用断熱材カバー
５２…扉用断熱材
８１…前上枠上端水平折曲部
４３１…後壁上端傾斜部
８１１…前上枠上端傾斜部  
【図１】
0003102218.tif 000003
【図２】
0003102218.tif 000004
【図３】
0003102218.tif 000005
【図４】
0003102218.tif 000006
【図５】
0003102218.tif 000007
【図６】
0003102218.tif 000008
【図７】
0003102218.tif 000009